【手続補正書】
【提出日】平成17年6月10日(2005.6.10)
【手続補正１】
【補正対象書類名】明細書
【補正対象項目名】発明の名称
【補正方法】変更
【補正の内容】
【発明の名称】放射線撮像装置及び放射線検出方法
【手続補正２】
【補正対象書類名】明細書
【補正対象項目名】特許請求の範囲
【補正方法】変更
【補正の内容】
【特許請求の範囲】
【請求項１】
放射線を電気信号に変換する複数の放射線検出素子がマトリクス状に配列された放射線検出手段と、
前記放射線検出手段を駆動制御する駆動手段と、
前記放射線検出手段からの電気信号を読み出すための読み出し手段と
を含み、
動画撮影モードと静止画撮影モードとを選択的に設定自在とされており、
前記読み出し手段は、ゲインが可変とされた可変増幅手段と、前記可変増幅手段のゲインを制御する制御手段と、前記可変増幅手段の後段に設けられた前記可変増幅手段からの並列信号を直列信号として出力するマルチプレクサと、前記マルチプレクサの後段に設けられた増幅手段とを備え、
前記制御手段による前記可変増幅手段のゲイン制御により、前記可変増幅手段の前記動画撮影モード時のゲイン（Ｇｆ）が前記可変増幅手段の前記静止画撮影モード時のゲイン（Ｇｓ）よりも大きく設定されることを特徴とする放射線撮像装置。
【請求項２】
静止画を撮影するに際して、予め前記動画撮影モードにおいて設定された前記動画撮影モード時のゲイン（Ｇｆ）により動画像を取得しておき、静止画撮影を要求する信号に応じて、前記静止画撮影モード時のゲイン（Ｇｓ）に切り替えて静止画像が取得されることを特徴とする請求項１に記載の放射線撮像装置。
【請求項３】
前記増幅手段は、ゲインが固定されている固定増幅手段であることを特徴とする請求項１に記載の放射線撮像装置。
【請求項４】
前記放射線検出素子は、放射線を可視光に変換する波長変換体と、可視光を受光して電気信号に変換する光電変換体とを有することを特徴とする請求項１に記載の放射線撮像装置。
【請求項５】
前記波長変換体は、Ｇｂ2Ｏ3、Ｇｂ2Ｏ2Ｓ及びＣｓＩのうちから選ばれた１種を母体材料として構成されていることを特徴とする請求項４に記載の放射線撮像装置。
【請求項６】
前記光電変換体は、アモルファスシリコンを主材料として構成されていることを特徴とする請求項４に記載の放射線撮像装置。
【請求項７】
前記放射線検出素子は、前記光電変換体からの前記電気信号を転送するスイッチ素子と、該スイッチ素子と前記駆動手段を接続する第１の配線と、該スイッチ素子と前記読み出し手段を接続する第２の配線とを有し、該第２の配線は前記可変増幅手段に接続されていることを特徴とする請求項４に記載の放射線撮像装置。
【請求項８】
前記放射線検出素子は、放射線を吸収して直接的に電気信号に変換する機能を有し、その主材料がアモルファスセレン、ヒ素化ガリウム、ヨウ化水銀、ヨウ化鉛から選ばれた１種であることを特徴とする請求項１に記載の放射線撮像装置。
【請求項９】
放射線を電気信号に変換する複数の放射線検出素子がマトリクス状に配列されてなり、ゲインが可変とされた可変増幅手段と、前記可変増幅手段のゲインを制御する制御手段と、前記可変増幅手段の後段に設けられた前記ゲイン可変増幅手段からの並列信号を直列信号として出力するマルチプレクサと、前記マルチプレクサの後段に設けられた増幅手段とを備えた前記放射線検出手段からの前記電気信号を読み出すための読み出し手段を含み、動画撮影モードと静止画撮影モードとを選択的に設定自在とされた放射線撮像装置を用い、
前記ゲインを可変とし、当該ゲイン制御により、前記可変増幅手段の前記動画撮影モード時のゲイン（Ｇｆ）が前記可変増幅手段の前記静止画撮影モード時のゲイン（Ｇｓ）よりも大きく設定されることを特徴とする放射線検出方法。
【請求項１０】
静止画を撮影するに際して、予め前記動画撮影モードにおいて設定された前記動画撮影モード時のゲイン（Ｇｆ）により動画像を取得しておき、静止画撮影を要求する信号に応じて、前記静止画撮影モード時のゲイン（Ｇｓ）に切り替えて静止画像が取得されることを特徴とする請求項９に記載の放射線検出方法。
【手続補正３】
【補正対象書類名】明細書
【補正対象項目名】００２０
【補正方法】変更
【補正の内容】
【００２０】
【課題を解決するための手段】
本発明の放射線撮像装置は、放射線を電気信号に変換する複数の放射線検出素子がマトリクス状に配列された放射線検出手段と、前記放射線検出手段を駆動制御する駆動手段と、
前記放射線検出手段からの電気信号を読み出すための読み出し手段とを含み、動画撮影モードと静止画撮影モードとを選択的に設定自在とされており、前記読み出し手段は、ゲインが可変とされた可変増幅手段と、前記可変増幅手段のゲインを制御する制御手段と、前記可変増幅手段の後段に設けられた前記可変増幅手段からの並列信号を直列信号として出力するマルチプレクサと、前記マルチプレクサの後段に設けられた増幅手段とを備え、前記制御手段による前記可変増幅手段のゲイン制御により、前記可変増幅手段の前記動画撮影モード時のゲイン（Ｇｆ）が前記可変増幅手段の前記静止画撮影モード時のゲイン（Ｇｓ）よりも大きく設定される。
本発明の放射線撮像装置の一態様では、静止画を撮影するに際して、予め前記動画撮影モードにおいて設定された前記動画撮影モード時のゲイン（Ｇｆ）により動画像を取得しておき、静止画撮影を要求する信号に応じて、前記静止画撮影モード時のゲイン（Ｇｓ）に切り替えて静止画像が取得される。
本発明の放射線撮像装置の一態様では、前記増幅手段は、ゲインが固定されている固定増幅手段である。
本発明の放射線撮像装置の一態様では、前記放射線検出素子は、放射線を可視光に変換する波長変換体と、可視光を受光して電気信号に変換する光電変換体とを有する。
本発明の放射線撮像装置の一態様では、前記波長変換体は、Ｇｂ2Ｏ3、Ｇｂ2Ｏ2Ｓ及びＣｓＩのうちから選ばれた１種を母体材料として構成されている。
本発明の放射線撮像装置の一態様では、前記光電変換体は、アモルファスシリコンを主材料として構成されている。
本発明の放射線撮像装置の一態様では、前記放射線検出素子は、前記光電変換体からの前記電気信号を転送するスイッチ素子と、該スイッチ素子と前記駆動手段を接続する第１の配線と、該スイッチ素子と前記読み出し手段を接続する第２の配線とを有し、該第２の配線は前記可変増幅手段に接続されている。
本発明の放射線撮像装置の一態様では、前記放射線検出素子は、放射線を吸収して直接的に電気信号に変換する機能を有し、その主材料がアモルファスセレン、ヒ素化ガリウム、ヨウ化水銀、ヨウ化鉛から選ばれた１種である。
本発明の放射線検出方法は、放射線を電気信号に変換する複数の放射線検出素子がマトリクス状に配列されてなり、ゲインが可変とされた可変増幅手段と、前記可変増幅手段のゲインを制御する制御手段と、前記可変増幅手段の後段に設けられた前記ゲイン可変増幅手段からの並列信号を直列信号として出力するマルチプレクサと、前記マルチプレクサの後段に設けられた増幅手段とを備えた前記放射線検出手段からの前記電気信号を読み出すための読み出し手段を含み、動画撮影モードと静止画撮影モードとを選択的に設定自在とされた放射線撮像装置を用い、前記ゲインを可変とし、当該ゲイン制御により、前記可変増幅手段の前記動画撮影モード時のゲイン（Ｇｆ）が前記可変増幅手段の前記静止画撮影モード時のゲイン（Ｇｓ）よりも大きく設定される。
本発明の放射線検出方法の一態様では、静止画を撮影するに際して、予め前記動画撮影モードにおいて設定された前記動画撮影モード時のゲイン（Ｇｆ）により動画像を取得しておき、静止画撮影を要求する信号に応じて、前記静止画撮影モード時のゲイン（Ｇｓ）に切り替えて静止画像が取得される。
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】